(57)【要約】【課題】被詰め替え容器に内容液を詰め替える際に、特定の高さ位置まで液面が上昇したことを容易に視認することができ、内容液を過度に詰め替え入れることを回避することのできる被詰め替え容器を提供することである。【解決手段】詰め替え用容器の内部に収容された内容液を詰め替える被詰め替え容器であって、該被詰め替え容器２は、胴部２０の上端に肩部２１を介して口筒部２２を起立設しており、該胴部２０又は該肩部２１から内方に向かって平面部２５が突出していることを特徴とする被詰め替え容器。【選択図】図１
2019064629.tif 000002
【特許請求の範囲】
【請求項１】
詰め替え用容器の内部に収容された内容液を詰め替える被詰め替え容器であって、
該被詰め替え容器（２）は、胴部（２０）の上端に肩部（２１）を介して口筒部（２２）を起立設しており、
該胴部（２０）又は該肩部（２１）から内方に向かって平面部（２５）が突出していることを特徴とする被詰め替え容器。
【請求項２】
前記平面部（２５）が、口筒部（２２）よりも内方に延設している水平面又は傾斜面である請求項１に記載の被詰め替え容器。
【請求項３】
前記平面部（２５）が、被詰め替え容器（２）を内方に凹ませた陥入部（２４）に連設している請求項１又は２に記載の被詰め替え容器。
【請求項４】
前記平面部（２５）及び前記陥入部（２４）が、中心軸（Ｏ）に対して軸対称となる位置に一対設けられている請求項１〜３のいずれかに記載の被詰め替え容器。
【請求項５】
前記平面部（２５）が中心軸（Ｏ）を越えて延設している請求項１〜３のいずれかに記載の被詰め替え容器。
【請求項６】
前記平面部（２５）が、底部（２６）から起立した起立壁（２７）に連設している請求項１又は２に記載の被詰め替え容器。
【発明の詳細な説明】
【技術分野】
【０００１】
本発明は、被詰め替え容器に関し、詳しくは、内容液を詰め替える際に特定の高さ位置まで液面が上昇したことを容易に視認することができる被詰め替え容器に関するものである。
【背景技術】
【０００２】
近年、液体洗剤、シャンプー、リンス、化粧用品等の各種の液体を収納する合成樹脂製の容器においては、環境負荷の低減、ゴミの減量化、わずかであっても消費者の経済的な負担が減るため、例えば、吐出キャップを口筒部に装着した容器を被詰め替え容器とし、この被詰め替え容器にパウチやボトル等の詰め替え容器から、内容液を詰め替えることが消費者に受け入れられている。被詰め替え容器の従来技術として、例えば、特許文献１が挙げられる。
【０００３】
しかしながら、近年では詰替え容器の内容量が、被詰替え容器の内容量よりも大きい、複数回詰め替えられる大容量のパウチやボトル等の詰め替え容器から被詰替え容器に内容液を補充する場合には、口筒部付近まで過度に内容液を詰め替え入れてしまったり或いは口筒部から内容液を溢れさせてしまうことが懸念される。
【０００４】
そのため、詰替え容器から被詰替え容器に内容液を詰替える際に、特定の高さ位置まで液面が上昇したことを容易に視認することができるようにして、内容液を過度に詰め替え入れることを回避することのできる被詰替え容器が求められていた。
【先行技術文献】
【特許文献】
【０００５】
【特許文献１】特開２０００−３１３４２３号公報
【発明の概要】
【発明が解決しようとする課題】
【０００６】
本発明の目的は、被詰め替え容器に内容液を詰め替える際に、特定の高さ位置まで液面が上昇したことを容易に視認することができ、内容液を過度に詰め替え入れることを回避することのできる被詰め替え容器を提供することである。
【課題を解決するための手段】
【０００７】
上記課題を解決するため、本発明の主たる構成は、
詰め替え用容器の内部に収容された内容液を詰め替える被詰め替え容器であって、
該被詰め替え容器は、胴部の上端に肩部を介して口筒部を起立設しており、
該胴部又は該肩部から内方に向かって平面部が突出していることを特徴とする。
【０００８】
上記主たる構成では、内容液の詰め替え作業時に液面が上昇して、内容液の液面が詰め替え限界位置の平面部に達したことを容易に視認できることで、内容液を口筒部から溢れさせたり或いは口筒部付近まで過度に詰め替え入れてしまうことを、効果的に回避することが可能である。
【０００９】
また、本発明の他の構成は、平面部が口筒部よりも内方に延設している水平面又は傾斜面である。
【００１０】
平面部を口筒部より内方に突出するように延設することによって、口筒部の開口部を介して被詰め替え容器の内部を覗き見ながら詰め替え作業時に平面部を容易に視認することできる。
【００１１】
また、本発明の他の構成は、平面部が被詰め替え容器を内方に凹ませた陥入部に連設しているものである。
【００１２】
平面部を陥入部に連設することで容器製造が煩雑にならず、不良品発生を低減することができる。
【００１３】
また、本発明の他の構成は、平面部及び陥入部が、中心軸に対して軸対称となる位置に一対設けられているものである。
【００１４】
平面部が軸対称となる位置に一対設けられているため、平面部を容易に視認することが可能となった。
【００１５】
また、本発明の他の構成は、平面部が中心軸を越えて延設しているものである。
【００１６】
平面部が中心軸を越えるように大きく形成されていることで口筒部の開口部から平面部を覗き見ることができるため、被詰め替え容器の内部を覗き見ながら詰め替え作業を行うと、液面が平面部を超えたことを容易に視認でき、内容液が詰め替え限界位置に達したことを更に容易に視認することが可能である。
【００１７】
更に、本発明の他の構成は、平面部が底部から起立した起立壁に連設しているものである。
【００１８】
平面部を設けるために被詰め替え容器の外観に凹部となる陥入部を備えないため意匠性に影響を及ぼすことない。
【発明の効果】
【００１９】
本発明は、上記した構成となっているので、以下に示す効果を奏する。
本発明の主たる構成においては、内容液の詰め替え作業時に液面が上昇して、内容液の液面が詰め替え限界位置の平面部に達したことを容易に視認できることで、内容液を口筒部から溢れさせたり或いは口筒部付近まで過度に詰め替え入れてしまうことを、効果的に回避することができる。
【図面の簡単な説明】
【００２０】
【図１】本発明の第１の実施形態の被詰め替え容器の正面縦部分断面図である。
【図２】第１の実施形態での被詰め替え容器の平面図である。
【図３】第１の実施形態における被詰め替え容器の側面図である。
【図４】本発明の第２の実施形態の被詰め替え容器の正面縦部分断面図である。
【図５】第２の実施形態での被詰め替え容器の平面図である。
【図６】第２の実施形態における被詰め替え容器の側面図である。
【図７】本発明の第３の実施形態の被詰め替え容器の正面縦部分断面図である。
【図８】第３の実施形態での被詰め替え容器の平面図である。
【図９】第３の実施形態における被詰め替え容器の側面図である。
【発明を実施するための形態】
【００２１】
以下、本発明の実施形態について図面を参照しつつ説明する。
図１及び図３に示すように、第１の実施形態の被詰め替え容器２では、被詰め替え容器２にキャップ３が係合しており、キャップ３の上部にはノズル部４を有する構成となっている。なお、被詰め替え容器２に係合して内容液を吐出できるものであれば、キャップ３及びノズル部４を計量カップ、押し下げ式ポンプ又はトリガー式噴霧器等に適宜変更しても構わない。被詰め替え容器２には、内容液として、例えば、食器用洗剤、衣料用液体洗剤、漂白剤、柔軟剤、シャンプー又は入浴剤等を収容することができる。
【００２２】
被詰め替え容器２は、合成樹脂製のブロー成形品であり、胴部２０、肩部２１、口筒部２２、底部２３を有する有底筒状に形成され、筒状の胴部２０の上端にテーパー筒状の肩部２１を介して口筒部２２を起立設した丸型壜体である。口筒部２２の外周面には雄ネジ部２２ａが刻設されている。本発明に係る被詰め替え容器２は、胴部２０、肩部２１、口筒部２２及び底部２３がそれぞれの中心軸Ｏを共通軸上に位置した状態で連設されている。
被詰め替え容器２上部となる胴部２０上部又は肩部２１から、被詰め替え容器２の内方に向かって水平面や傾斜面等の平面部２５が突出されることによって、内方に凹んだ陥入部２４が連設される。傾斜面の平面部２５は、内方に向かって上り勾配であっても下り勾配であっても構わない。また、平面部２５に段部を設けても構わず、段部を設けることによって、内容液が徐々に詰め替え限度位置に近づくことを視認することができる。平面部２５は、口筒部２２より内方に突出するように延設することが好ましく、これによって口筒部２２の開口部を介して被詰め替え容器２の内部を覗き見ながら詰め替え作業時に平面部２５を容易に視認することできる（図２参照）。平面部２５は、特定の高さ位置に設置することが可能であり、本発明においては詰め替え限界位置を示すものとするため、被詰め替え容器２の上部である胴部２０上部又は肩部２１に設けることが好ましい。第１の実施形態では、平面部２５が外方から内方に向かって下り勾配の傾斜面であり、陥入部２４及び平面部２５は、被詰め替え容器２の中心軸Ｏに対して軸対称となる位置に一対となるよう、２箇所に設けられている。なお、陥入部２４及び平面部２５の形成箇所は適宜設定でき、軸対称或いは軸非対称に２箇所以上設けても構わない。
【００２３】
キャップ３は、中心付近に開口部を備えた平板状のキャップ頂壁３０を有し、キャップ頂壁３０の周端縁下面から外筒部３１を垂下状に連設し、外筒部３１内面には口筒部２２の外周面の雄ネジ部２２ａに螺合する雌ネジ部３２を有する。更に、キャップ頂壁３０の下面には、口筒部２２の内周面に密に接して気密性を高める短円筒状のシール筒片３３を垂下設している。キャップ頂壁３０の内端部からは短円筒状の支持壁３４が起立設し、後述するノズル部４と係合する構成となっている。キャップ頂壁３０中心付近の開口部には、内容液が通過可能な隙間を有するように中間壁部が内面部にて梁状に架け渡っており、その中間壁部の中央部から突起体３５が起立している。突起体３５の上端部は、後述するノズル部４の吐出口４１に挿入して吐出口４１を塞ぐように形成されている。
【００２４】
ノズル部４は、側面の摘み部４０を指先で摘まみ、支持壁３４に沿って上下に移動可能である。ノズル部４が下方位置にある時は、突起体３５の上端部が吐出口４１に挿入され吐出口４１を塞ぎ、一方、ノズル部４が上方位置にある時は、吐出口４１から内容液を吐出することができる。
【００２５】
第１の実施形態での詰め替え時は、被詰め替え容器２からノズル部４が係合しているキャップ３を取り外し、口筒部２２よりパウチ状の容器やボトル等の詰め替え容器から内容液を詰め替える。その際、図２に示される様に、被詰め替え容器２の上面から口筒部２２の開口部を介して被詰め替え容器２の内部を覗き見ながら詰め替え作業を行うと、内容液の液面が徐々に上昇し、液面が平面部２５を超えると平面部２５が見えなくなることで、内容液が詰め替え限界位置に達したことを容易に視認することが可能である。
【００２６】
すなわち上記構成を有する第１の実施形態の被詰め替え容器２によれば、内容液を詰め替える際に、内容液の液面が上昇して、平面部２５が液面に浸かり始めるのを視認してから、詰め替える作業を停止することによって、内容液を口筒部２２から溢れさせたり或いは口筒部２２付近まで過度に詰め替え入れてしまうことを、効果的に回避することが可能となった。また、被詰め替え容器２が不透明で形成されていた場合、口筒部２２の開口部以外から被詰め替え容器２内を視認できないため、特に有効である。
【００２７】
図４〜図６は被詰め替え容器の第２の実施形態を示すものである。なお、図４〜図６においては、陥入部２４及び平面部２５の形状が相違しているが、前述した部材に対応する部材には同一の符号を付してある。
【００２８】
第２の実施形態においては、陥入部２４及び平面部２５が被詰め替え容器２の中心軸Ｏを越えて内方に突出するよう延設しており、陥入部２４は胴部２０上部の周方向で約２２５度に亘って大きく開口している。陥入部２４及び平面部２５の形成範囲は適宜設定できると共に少なくとも１箇所設けてあればよい。陥入部２４の中心軸Ｏ近傍の中央部にリブ部２６を設けている（図５参照）。
【００２９】
第２の実施形態では、陥入部２４が周方向に大きく開口して被詰め替え容器２の外観において凹部分を形成させるが、陥入部２４を覆い隠すように胴部２０や肩部２１にシュリンクフィルム５を被覆させれば、陥入部２４の凹部分は見えなくなり、意匠性に大きく影響を及ぼすことはなくなる。
【００３０】
図５に示される様に、平面部２５が中心軸Ｏを越えるように大きく形成されていることで口筒部２２の開口部から平面部２５を覗き見ることができるため、被詰め替え容器２の内部を覗き見ながら詰め替え作業を行うと、液面が平面部２５を超えたことを容易に視認でき、内容液が詰め替え限界位置に達したことを更に容易に視認することが可能である。
【００３１】
図７〜図９は被詰め替え容器の第３の実施形態を示すものである。なお、図７〜図９においては、陥入部２４が存在しないが、前述した部材に対応する部材には同一の符号を付してある。
【００３２】
第３の実施形態においては、被詰め替え容器２の外観には陥入部２４がないため意匠性に影響を及ぼすことない。平面部２５を形成するため、被詰め替え容器２の底部２３から起立壁２７が起立設され、起立壁２７の上端部に水平面の平面部２５を設けている。なお、底部２３から起立設された起立壁２７の上端部の平面部２５の形成は適宜設定できると共に少なくとも１箇所設けてあれば構わない。
【００３３】
図８に示される様に、第３の実施形態の平面部２５によっても、被詰め替え容器２の上面から口筒部２２の開口部を介して被詰め替え容器２の内部を覗き見ながら詰め替え作業時に、液面が平面部２５を超えたこと視認でき、内容液が詰め替え限界位置に達したことを容易に視認することが可能である。
【００３４】
以上、実施例に沿って本発明の構成とその作用効果について説明したが、本発明の実施の形態は上記実施形態に限定されるものではない。
例えば上記実施形態では、被詰め替え容器２の上面から口筒部２２の開口部を介して被詰め替え容器２の内部を覗き見ながら詰め替え作業を行っているが、被詰め替え容器２を透明性の材質で形成して透明な被詰め替え容器２とすることで、被詰め替え容器２外観からも液面を視認することは可能である。
また、シュリンクフィルム５は第２の実施形態だけで胴部２０や肩部２１に被覆しているが、第１の実施形態及び第３の実施形態においても同様にシュリンクフィルム５を被覆しても構わない。
【産業上の利用可能性】
【００３５】
以上説明したように、本発明によれば、内容液の詰め替え作業時に液面が上昇して、内容液の液面が詰め替え限界位置の平面部に達したことを容易に視認できることで、内容液を口筒部から溢れさせたり或いは口筒部付近まで過度に詰め替え入れてしまうことを、効果的に回避することが可能なため、被詰め替え容器分野における用途展開をさらに広い領域で図ることができる。
【符号の説明】
【００３６】
２    ；被詰め替え容器
３    ；キャップ
４    ；ノズル部
５    ；シュリンクフィルム
２０  ；胴部
２１  ；肩部
２２  ；口筒部
２２ａ；雄ネジ部
２３  ；底部
２４  ；陥入部
２５  ；平面部
２６  ；リブ部
２７  ；起立壁
３０  ；キャップ頂壁
３１  ；外筒壁
３２  ；雌ネジ部
３３  ；シール筒片
３４  ；支持壁
３５  ；突起体
４０  ；摘み部
４１  ；吐出口
Ｏ    ；中心軸
【図１】
2019064629.tif 000003
【図２】
2019064629.tif 000004
【図３】
2019064629.tif 000005
【図４】
2019064629.tif 000006
【図５】
2019064629.tif 000007
【図６】
2019064629.tif 000008
【図７】
2019064629.tif 000009
【図８】
2019064629.tif 000010
【図９】
2019064629.tif 000011